(57)【要約】      （修正有）【課題】要介護者などの対象ユーザの機能を効果的に改善するための運動プログラムを決定することのできる機能改善支援装置を提供する。【解決手段】機能改善支援装置２０は、対象ユーザの機能に関連する特徴量を取得する取得部２８と、学習済みモデルに基づいて、取得した特徴量から、対象ユーザの機能を改善するための運動プログラムを決定する運動プログラム決定部２３と、を備える。学習済みモデルは、複数のユーザについての機能に関連する特徴量および各ユーザが実行した運動プログラムを学習用データとして機械学習され、特徴量に対応する運動プログラムの識別情報を出力する。【選択図】図２
2020099534.tif 000002
【特許請求の範囲】
【請求項１】
対象ユーザの機能に関連する特徴量を取得する取得部と、
学習済みモデルに基づいて、取得した前記特徴量から、前記対象ユーザの機能を改善するための運動プログラムを決定する運動プログラム決定部と、を備え、
前記学習済みモデルは、複数のユーザについての機能に関連する特徴量、および各ユーザが実行した運動プログラムを学習用データとして機械学習され、前記特徴量に対応する前記運動プログラムの識別情報を出力するモデルである、機能改善支援装置。
【請求項２】
前記機能は、ユーザの運動または生活に関連する機能であって、
前記取得部は、前記対象ユーザまでの距離を示す距離画像を前記特徴量として取得し、
前記運動プログラム決定部は、前記学習済みモデルに基づいて、取得した前記特徴量から、前記ユーザの運動または生活に関連する問題点と、当該問題点を改善するための運動プログラムを決定し、
前記学習済みモデルは、複数のユーザについて、各ユーザの前記距離画像、各ユーザの運動または生活に関連する問題点、および各ユーザが実行した運動プログラムを学習用データとして機械学習され、前記特徴量に対応する前記問題点および前記運動プログラムの識別情報を出力するモデルである、請求項１に記載の機能改善支援装置。
【請求項３】
前記機能は、ユーザの言語または口腔に関連する機能であって、
前記取得部は、前記対象ユーザの言語または口腔の質問項目および検査項目に対する回答と、前記対象ユーザの言語または口腔の評価項目に対する口腔専門職による評価とを前記特徴量として取得し、
前記学習済みモデルは、複数のユーザについて、各ユーザの前記言語または口腔の質問項目および検査項目に対する回答、口腔専門職による各ユーザの評価項目に対する評価、ならびに各ユーザが実行した管理指導項目および運動プログラムを学習用データとして機械学習され、前記特徴量に対応する前記管理指導項目の識別情報および前記運動プログラムの識別情報を出力するモデルであり、
前記運動プログラム決定部は、前記学習済みモデルに基づいて、取得した前記特徴量から、前記対象ユーザの機能を改善するための管理指導項目および運動プログラムを決定する、請求項１に記載の機能改善支援装置。
【請求項４】
さらに、前記学習済みモデルを機械学習する機械学習部を備え、
前記機械学習部は、さらに、前記運動プログラム決定部が決定した前記運動プログラムを実行した前記対象ユーザの前記特徴量、および当該運動プログラムの識別情報を学習用データとして前記学習済みモデルを機械学習する、請求項１〜請求項３のいずれか１項に記載の機能改善支援装置。
【請求項５】
対象ユーザまでの距離を示す距離画像を取得する距離画像センサと、
請求項２に記載の機能改善支援装置と、
前記機能改善支援装置から、前記対象ユーザの運動または生活に関連する問題点と前記対象ユーザの機能を改善するための運動プログラムとを取得し、取得した前記問題点および前記運動プログラムを提示する端末装置と
を備える機能改善支援システム。
【請求項６】
請求項３に記載の機能改善支援装置と、
前記機能改善支援装置から、対象ユーザの機能を改善するための管理指導項目および運動プログラムを取得し、取得した前記管理指導項目および前記運動プログラムを提示する端末装置と
を備える機能改善支援システム。
【請求項７】
請求項１〜請求項４のいずれか１項に記載の機能改善支援装置から、対象ユーザの機能を改善するための運動プログラムを取得する運動プログラム取得部と、
前記運動プログラム取得部が取得した前記運動プログラムを提示する運動プログラム提示部と
を備える端末装置。
【発明の詳細な説明】
【技術分野】
【０００１】
本発明は、対象ユーザの機能の改善を支援する機能改善支援装置、機能改善支援システムおよび端末装置に関する。
【背景技術】
【０００２】
近年、高齢化が急速に進展し、高齢者を含む要介護者が増加している。このため、要介護者の増加の抑制、または要介護者を減少させる施策が必要となっている。
【０００３】
上記施策の一例として、例えば、特許文献１には、認知症の要介護者に対して、ゲームを行ってもらうことにより認知機能の改善を行う認知症介護支援システムが示されている。
【０００４】
また、特許文献２には、要介護者にエクササイズプログラムを提供し、当該プログラムに沿った動作を行ってもらうことにより、運動機能の改善を行うユーザ健康維持活性化支援及び見守りシステムが示されている。
【先行技術文献】
【特許文献】
【０００５】
【特許文献１】特開２０１６−０７１８９７号公報
【特許文献２】特開２０１０−１４０１１９号公報
【発明の概要】
【発明が解決しようとする課題】
【０００６】
しかし、要介護者の問題点は多岐にわたり、問題点を見つけ出したとしても、数多くある運動プログラムから最も効果的なプログラムを選択するのは、リハビリの専門職でなければ困難である。つまり、一般の介護職がこのようなプログラムを選択するのは困難を極める。
【０００７】
特許文献１および２に記載のシステムにおいても、最適なゲームまたはエクササイズプログラムを選択することは困難であり、同様の問題が生じる。
【０００８】
本発明は、このような事情に鑑みてなされてものであり、要介護者などの対象ユーザの機能を効果的に改善するための運動プログラムを決定することのできる機能改善支援装置、機能改善支援システムおよび端末装置を提供することを目的とする。
【課題を解決するための手段】
【０００９】
（１）上記目的を達成するために、本発明のある局面に係る機能改善支援装置は、対象ユーザの機能に関連する特徴量を取得する取得部と、学習済みモデルに基づいて、取得した前記特徴量から、前記対象ユーザの機能を改善するための運動プログラムを決定する運動プログラム決定部と、を備え、前記学習済みモデルは、複数のユーザについての機能に関連する特徴量、および各ユーザが実行した運動プログラムを学習用データとして機械学習され、前記特徴量に対応する前記運動プログラムの識別情報を出力するモデルである。
【００１０】
この構成によると、対象ユーザの機能に関連する特徴量を学習済みモデルに入力することにより、当該対象ユーザの機能を改善するための運動プログラムを決定することができる。この学習済みモデルは、複数のユーザについての特徴量と、各ユーザが実行した運動プログラムを学習用データとして機械学習することにより得られたモデルである。このため、対象ユーザの特徴量を学習済みモデルに入力することにより、当該対象ユーザにとって改善度合いが最も高くなることが期待される運動プログラムが出力される。これにより、要介護者などの対象ユーザの機能を効果的に改善するための運動プログラムを決定することができる。
【００１１】
（２）好ましくは、前記機能は、ユーザの運動または生活に関連する機能であって、前記取得部は、前記対象ユーザまでの距離を示す距離画像を前記特徴量として取得し、前記運動プログラム決定部は、前記学習済みモデルに基づいて、取得した前記特徴量から、前記ユーザの運動または生活に関連する問題点と、当該問題点を改善するための運動プログラムを決定し、前記学習済みモデルは、複数のユーザについて、各ユーザの前記距離画像、各ユーザの運動または生活に関連する問題点、および各ユーザが実行した運動プログラムを学習用データとして機械学習され、前記特徴量に対応する前記問題点および前記運動プログラムの識別情報を出力するモデルである。
【００１２】
この構成によると、対象ユーザの距離画像を学習済みモデルに入力することにより、対象ユーザの問題点が抽出されるとともに、その問題点を改善するための運動プログラムを決定することができる。例えば、起き上がりができない対象ユーザであっても、対象ユーザ間で起き上がりができない度合いに差がある。しかし、この構成では、起き上がりができない複数の対象ユーザに対して、同じ運動プログラムを提供するのではなく、対象ユーザごとに起き上がりができない度合いに応じた最も効果的な運動プログラムを決定して、提供することができる。
【００１３】
（３）また、前記機能は、ユーザの言語または口腔に関連する機能であって、前記取得部は、前記対象ユーザの言語または口腔の質問項目および検査項目に対する回答と、前記対象ユーザの言語または口腔の評価項目に対する口腔専門職による評価とを前記特徴量として取得し、前記学習済みモデルは、複数のユーザについて、各ユーザの前記言語または口腔の質問項目および検査項目に対する回答、口腔専門職による各ユーザの評価項目に対する評価、ならびに各ユーザが実行した管理指導項目および運動プログラムを学習用データとして機械学習され、前記特徴量に対応する前記管理指導項目の識別情報および前記運動プログラムの識別情報を出力するモデルであり、前記運動プログラム決定部は、前記学習済みモデルに基づいて、取得した前記特徴量から、前記対象ユーザの機能を改善するための管理指導項目および運動プログラムを決定してもよい。
【００１４】
この構成によると、対象ユーザの言語または口腔の質問項目および検査項目に対する回答と、口腔専門職による対象ユーザの評価が取得され、取得された回答および評価を学習済みモデルに入力することにより、当該対象ユーザの言語または口腔に関連する機能を改善するための管理指導項目および運動プログラムを決定することができる。これにより、例えば、言語障害のある複数の対象ユーザに対して、同じ管理指導項目および運動プログラムを提供するのではなく、対象ユーザごとに最も効果的な管理指導項目および運動プログラムを決定して、提供することができる。
【００１５】
（４）また、上述の機能改善支援装置は、さらに、前記学習済みモデルを機械学習する機械学習部を備え、前記機械学習部は、さらに、前記運動プログラム決定部が決定した前記運動プログラムを実行した前記対象ユーザの前記特徴量、および当該運動プログラムの識別情報を学習用データとして前記学習済みモデルを機械学習してもよい。
【００１６】
この構成によると、対象ユーザの特徴量と、対象ユーザに対して提供した運動プログラムとを学習用データとして、学習済みモデルを再学習することができる。これにより、他の対象ユーザに対して、さらに、改善度合いの高い効果的な運動プログラムを決定して、提供することができる。
【００１７】
（５）本発明の他の局面に係る機能改善支援システムは、対象ユーザまでの距離を示す距離画像を取得する距離画像センサと、（２）に記載の機能改善支援装置と、前記機能改善支援装置から、前記対象ユーザの運動または生活に関連する問題点と前記対象ユーザの機能を改善するための運動プログラムを取得し、取得した前記問題点および前記運動プログラムを提示する端末装置とを備える。
【００１８】
この構成によると、上述の機能改善支援装置が決定した問題点および運動プログラムを端末装置が提示することができる。このため、例えば、端末装置を利用する対象ユーザは、対象ユーザの問題点を知ったうえで、最も効果的な運動プログラムに基づいた機能改善のための訓練を実行することができる。また、対象ユーザの介護者は、対象ユーザの問題点を知ったうえで、最も効果的な運動プログラムに基づいた機能改善のための訓練を対象ユーザに実行させることができる。
【００１９】
（６）本発明の他の局面に係る機能改善支援システムは、（３）に記載の機能改善支援装置と、前記機能改善支援装置から、対象ユーザの機能を改善するための管理指導項目および運動プログラムを取得し、取得した前記管理指導項目および前記運動プログラムを提示する端末装置とを備える。
【００２０】
この構成によると、上述の機能改善支援装置が決定した運動プログラムを端末装置に提示することができる。このため、例えば、端末装置を利用する対象ユーザは、最も効果的な管理指導項目および運動プログラムに基づいた機能改善のための訓練を実行することができる。また、対象ユーザの介護者は、最も効果的な管理指導項目および運動プログラムに基づいた機能改善のための訓練を対象ユーザに実行させることができる。
【００２１】
本発明の他の局面に係る端末装置は、上述の機能改善支援装置から、対象ユーザの機能を改善するための運動プログラムを取得する運動プログラム取得部と、前記運動プログラム取得部が取得した前記運動プログラムを提示する運動プログラム提示部とを備える。
【００２２】
この構成によると、上述の機能改善支援装置が決定した運動プログラムを提示することができる。このため、例えば、端末装置を利用する対象ユーザまたは対象ユーザの介護者は、最も効果的な運動プログラムに基づいた機能改善のための訓練を実行することができる。
【発明の効果】
【００２３】
本発明によると、要介護者などの対象ユーザの機能を効果的に改善することができる。
【図面の簡単な説明】
【００２４】
【図１】本発明の実施の形態１に係る機能改善支援システムの構成を示す図である。
【図２】本発明の実施の形態１に係る機能改善支援装置の構成を示すブロック図である。
【図３】記憶部に記憶されているユーザ情報の一例を示す図である。
【図４】本発明の実施の形態１に係る端末装置の構成を示すブロック図である。
【図５】本発明の実施の形態１に係る機能改善支援装置の処理手順の一例を示すフローチャートである。
【図６】本発明の実施の形態１に係る機能改善支援装置の処理手順の一例を示すフローチャートである。
【図７】機能改善支援システムの他の構成を示す図である。
【図８】実施の形態２に係る機能改善支援装置の構成を示すブロック図である。
【図９】言語または口腔に対する質問項目、検査項目および回答項目を含む問診票の一例を示す図である。
【図１０】言語または口腔に関する評価項目および当該項目に対する口腔専門職の評価を含む評価書の一例を示す図である。
【図１１】記憶部に記憶されているユーザ情報の一例を示す図である。
【図１２】本発明の実施の形態２に係る機能改善支援装置の処理手順の一例を示すフローチャートである。
【図１３】端末装置に送信された管理指導項目および運動プログラムの内容に基づいて作成される口腔機能向上サービスの管理指導計画の一例を示す図である。
【発明を実施するための形態】
【００２５】
以下、本発明の実施の形態について、図面を用いて詳細に説明する。なお、以下に記載する実施形態の少なくとも一部を任意に組み合わせてもよい。
【００２６】
［実施の形態１］
＜機能改善支援システムの構成＞
図１は、本発明の実施の形態１に係る機能改善支援システムの構成を示す図である。
【００２７】
機能改善支援システム１は、要介護者などの対象ユーザ５０の機能を改善するためのシステムであり、距離画像センサ１０と、機能改善支援装置２０と、端末装置４０とを備える。
【００２８】
距離画像センサ１０は、被写体の複数の箇所までの距離を測定することにより、各画素の輝度値が被写体までの距離を示す距離画像を生成する。つまり、距離画像センサ１０は、カメラの前面に規則的に配置された複数のＬＥＤ（Light Emitting Diode）と、レンズとを含むカメラであり、複数のＬＥＤから一斉に照射された光が、被写体で反射され、反射された光（例えば、近赤外光）がレンズによって集光される。この時、ＬＥＤが光を出射してからレンズに反射光が到達するまでの時間は被写体の位置により異なる。つまり、被写体がカメラに近いほど反射光の到達時間は短くなり、被写体がカメラから遠いほど反射光の到達時間は長くなる。距離画像センサ１０は、到達時間を画素毎に計測することにより、被写体までの距離を画素ごとに出力する。つまり、距離画像センサ１０は、被写体までの距離を画素における輝度値で表した距離画像を出力する。
【００２９】
機能改善支援装置２０は、距離画像センサ１０から距離画像を取得する。機能改善支援装置２０は、事前に機械学習された学習済みモデルに基づいて、距離画像から、対象ユーザ５０の機能についての問題点と、当該問題点を改善するための運動プログラムを決定する。
【００３０】
例えば、改善対象の機能は、対象ユーザ５０の運動または生活に関連する機能とする。
【００３１】
学習済みモデルは、複数のユーザについての距離画像、各ユーザの機能に関する問題点、および各ユーザが実行した運動プログラムを学習用データとして機械学習され、距離画像に対応する問題点および運動プログラムの識別情報（運動プログラム名）を出力するモデルである。
【００３２】
つまり、学習済みモデルは、複数のユーザについて、各ユーザの距離画像、各ユーザの問題点、各ユーザの属性、および各ユーザが実行した運動プログラムを学習用データとして機械学習され、対象ユーザ５０の距離画像および対象ユーザ５０の属性に対応する対象ユーザ５０の問題点および運動プログラムの識別情報（運動プログラム名）を出力するモデルである。
【００３３】
モデルは、例えば、深層学習（ディープラーニング）により作成することができる。ここで、ユーザの距離画像を入力とし、ユーザの問題点および運動プログラム名を出力とする学習用データを用いて、教師有りの深層学習をすることにより、ユーザの距離画像およびユーザの属性を入力として、問題点および運動プログラム名を出力するモデルを作成することができる。深層学習を行うことにより、モデルをニューラルネットワークで表現することができる。
【００３４】
機能改善支援装置２０は、決定した問題点および運動プログラムを、ネットワーク２を介して端末装置４０に送信する。
【００３５】
端末装置４０は、例えば、タブレット端末、スマートフォンまたはノートパソコンなどの表示画面を備えるコンピュータ装置である。端末装置４０は、例えば、対象ユーザ５０の機能改善の手助けを行う介護者、介助者または介護福祉士などが操作する。なお、対象ユーザ５０自身が端末装置４０を操作してもよい。
【００３６】
端末装置４０は、機能改善支援装置２０から問題点および運動プログラムを受信する。端末装置４０は、受信した運動プログラムを表示画面に表示する。これにより、介護者等は対象ユーザ５０に問題点を知らせ、問題点を改善するための運動プログラムを実施させたり、対象ユーザ５０は自ら問題点を知り、問題点を改善するための運動プログラムを実施したりすることができる。
【００３７】
＜機能改善支援装置の構成＞
図２は、本発明の実施の形態１に係る機能改善支援装置の構成を示すブロック図である。
【００３８】
機能改善支援装置２０は、距離画像取得部２１と、運動プログラム決定部２３と、記憶部２４と、学習用データ取得部２６と、機械学習部２７と、ユーザ属性取得部２８とを備える。
【００３９】
機能改善支援装置２０は、ＣＰＵ（Central Processing Unit）、ＲＯＭ（Read Only Memory）、ＲＡＭ（Random Access Memory）、ＨＤＤ（Hard Disk Drive）、通信インタフェースなどを備える一般的なコンピュータにより実現することができる。例えば、ＨＤＤまたはＲＯＭに記憶されたコンピュータプログラムがＲＡＭにロードされ、ＣＰＵ上で実行されることにより、機能改善支援装置２０の各処理部２１、２３および２６〜２８は、機能的に実現される。ただし、各処理部２１、２３および２６〜２８の一部または全部が半導体装置などのハードウェアにより実現されていてもよい。
【００４０】
距離画像取得部２１は、距離画像センサ１０から出力される距離画像を、対象ユーザ５０の特徴量として取得する。
【００４１】
なお、距離画像取得部２１は、距離画像が示す３次元座標に基づいて、所定の距離範囲内にある３次元座標同士に同一のラベルを付けるラベリング処理を施してもよい。距離画像取得部２１は、ラベリング処理の結果から、対象ユーザ５０の領域を抽出してもよい。例えば、距離画像取得部２１は、対象ユーザ５０の存在するエリアを予め指定しておくことにより、当該エリア内に存在する最も大きい領域を、対象ユーザ５０の領域として抽出してもよい。
【００４２】
距離画像取得部２１は、取得した距離画像を、対象ユーザ５０のユーザＩＤと対応付けて、ユーザ情報２５Ａとして記憶部２４に記憶させる。
【００４３】
ユーザ属性取得部２８は、例えば、キーボードや端末装置４０などを操作して入力された対象ユーザ５０の属性を取得し、記憶部２４に記憶されているユーザ情報２５Ａに追加登録する。属性には、例えば、対象ユーザ５０の性別、年齢、体重および身長などの情報が含まれる。
【００４４】
運動プログラム決定部２３は、記憶部２４に記憶されている学習済みモデル２５Ｂに基づいて、距離画像取得部２１が取得した距離画像と、ユーザ属性取得部２８が取得した対象ユーザ５０の属性とから、対象ユーザ５０の機能に関連する問題点と、当該問題点を改善するための運動プログラムとを決定する。運動プログラム決定部２３は、決定した問題点と、運動プログラムの識別情報である運動プログラム名を、記憶部２４に記憶されているユーザ情報２５Ａに追加登録する。
【００４５】
運動プログラム決定部２３が決定する問題点には、例えば、寝返りができないこと、立ち上がりができないこと、しゃがみ込みができないことなどの問題点の大分類を示す問題点１と、より詳細な問題点を示す問題点２とがある。例えば、問題点１「寝返りができない」に対する問題点２としては、「首が上がっていない」、「腕が上がっていない」、「肩が上がっていない」、「身体がねじれない」などが含まれる。
【００４６】
運動プログラムは、例えば、問題点２ごとに用意されており、首が上がっていないユーザのための首を斜め下方向に倒す頸部屈曲運動、肩が上がっていないユーザのための腹部を動かさずに肩甲骨を動かすリーチ運動、身体がねじれないユーザのための肘を伸ばして腹部を横に倒す立ち直り運動などの各種運動のプログラムを含む。
【００４７】
運動プログラム決定部２３は、決定した問題点と、決定した運動プログラムの内容または運動プログラム名を、端末装置４０に送信するとともに、ユーザ情報２５Ａに登録する。
【００４８】
記憶部２４は、ＨＤＤまたはフラッシュメモリなどにより構成され、ユーザ情報２５Ａおよび学習済みモデル２５Ｂを記憶している。
【００４９】
図３は、記憶部に記憶されているユーザ情報の一例を示す図である。
ユーザ情報２５Ａは、ユーザＩＤ、性別、年齢、体重、身長、距離画像、問題点１、問題点２および運動プログラム名が対応付けられて記憶されている。
【００５０】
例えば、ユーザＩＤ「ｕ１」の対象ユーザ５０の性別は「男」、年齢は「８１」歳、体重は「７２」ｋｇ、身長は「１６８」ｃｍ、距離画像は「ｉｍｇ１」、対象ユーザ５０の問題点１は「寝返り」ができないことであり、対象ユーザ５０の問題点２は、「首が上がっていない」ことと、「左腕が上がっていないこと」であり、対象ユーザ５０の問題点２を改善するために決定された運動プログラムの名称は「ｐ１」である。ユーザＩＤ「ｕ２」および「ｕ３」などの対象ユーザ５０についても、同様の情報が記憶部２４に記憶されている。
【００５１】
学習用データ取得部２６は、学習済みモデル２５Ｂを再学習するための学習用データを取得する。具体的には、学習用データ取得部２６は、記憶部２４からユーザ情報２５Ａを読み出す。
【００５２】
例えば、学習用データ取得部２６は、図３に示したユーザＩＤ「ｕ１」の対象ユーザ５０についてのユーザ情報を、学習用データとして取得する。学習用データ取得部２６は、ユーザＩＤ「ｕ２」および「ｕ３」等の他の対象ユーザ５０についても同様に、ユーザ情報を、学習用データとして取得する。
【００５３】
機械学習部２７は、学習用データ取得部２６が取得した学習用データに基づいて、学習済みモデル２５Ｂをさらに機械学習することにより、学習済みモデル２５Ｂを更新する。機械学習は上述したように、一例として、深層学習を用いることができる。
機械学習部２７は、更新後の学習済みモデル２５Ｂを記憶部２４に記憶させる。
【００５４】
＜端末装置の構成＞
図４は、本発明の実施の形態１に係る端末装置の構成を示すブロック図である。
端末装置４０は、運動プログラム取得部４１と、運動プログラム提示部４２とを備える。
【００５５】
運動プログラム取得部４１は、ネットワーク２を介して機能改善支援装置２０から、問題点および運動プログラムを取得する。なお、運動プログラム取得部４１は、運動プログラムの内容が自身の記憶部に記憶されている場合には、機能改善支援装置２０から運動プログラム名を取得し、記憶部から、運動プログラム名に対応する運動プログラムを読み出すことで、運動プログラムを取得してもよい。
【００５６】
運動プログラム提示部４２は、運動プログラム取得部４１が取得した問題点および運動プログラムを表示画面に表示することにより、対象ユーザ５０または対象ユーザ５０の介護者等に提示する。
【００５７】
＜運用モード＞
図５は、本発明の実施の形態１に係る機能改善支援装置の処理手順の一例を示すフローチャートである。図５は、対象ユーザ５０を撮像した距離画像から対象ユーザ５０の運動プログラムを決定する運用モードにおける機能改善支援装置２０の処理手順を示す。
【００５８】
距離画像取得部２１は、距離画像センサ１０から出力される距離画像を取得する（Ｓ１）。
【００５９】
運動プログラム決定部２３は、距離画像取得部２１が取得した距離画像と、対象ユーザ５０の属性（性別、年齢、体重、身長）とを学習済みモデル２５Ｂに入力し、最も確率の高い（機能改善の確率の高い）問題点および運動プログラム名を決定する（Ｓ２）。
【００６０】
運動プログラム決定部２３は、決定した問題点および運動プログラムの内容を端末装置４０に送信する（Ｓ３）。なお、運動プログラム決定部２３は、運動プログラムの内容の代わりに、運動プログラム名を、端末装置４０に送信するようにしてもよい。
【００６１】
これにより、端末装置４０は、機能改善支援装置２０から送信された問題点および運動プログラムの内容を受信して、表示することができる。このため、端末装置４０を利用する介護者は、対象ユーザ５０に対して対象ユーザ５０の問題点を知らせるとともに、最も機能改善に効果的な運動プログラムを実行させることができる。
【００６２】
＜学習モード＞
図６は、本発明の実施の形態１に係る機能改善支援装置の処理手順の一例を示すフローチャートである。図６は、運動プログラムを決定するための学習済みモデルを再学習する学習モードにおける機能改善支援装置２０の処理手順を示す。
【００６３】
学習用データ取得部２６は、記憶部２４から、ユーザ情報２５Ａを読み出すことにより取得する（Ｓ１１）。
【００６４】
機械学習部２７は、学習用データ取得部２６が取得したユーザ情報２５Ａを学習用データとして、記憶部２４に記憶されている学習済みモデル２５Ｂを再度機械学習する（Ｓ１３）。図３に示す例において、機械学習部２７は、各ユーザの性別、年齢、体重、身長、距離画像、問題点１、問題点２および運動プログラム名を学習用データとして学習済みモデル２５Ｂを機械学習する。機械学習部２７は、機会学習後の学習済みモデル２５Ｂを記憶部２４に上書きする。
なお、学習モードの処理は、例えば、所定期間（例えば、１か月）ごとに行われる。
【００６５】
＜実施の形態１の効果＞
以上説明したように、本発明の実施の形態１によると、対象ユーザ５０の機能に関連する特徴量を学習済みモデル２５Ｂに入力することにより、当該対象ユーザ５０の機能を改善するための運動プログラムを決定することができる。この学習済みモデル２５Ｂは、複数のユーザについての特徴量と、各ユーザの問題点と、各ユーザが実行した運動プログラムとを学習用データとして機械学習することにより得られたモデルである。このため、対象ユーザ５０の特徴量および問題点を学習済みモデル２５Ｂに入力することにより、当該対象ユーザ５０にとって改善度合いが最も高くなることが期待される運動プログラムが出力される。これにより、要介護者などの対象ユーザ５０の機能を効果的に改善するための運動プログラムを決定することができる。また、従来は、リハビリの専門職が、例えば、対象ユーザ５０の頸部の屈曲角度や体軸内回旋角度等の運動要素を計測し、計測結果に基づいて運動プログラムを決定していたが、本実施形態によると、このような計測作業も不要となる。
【００６６】
より詳細には、距離画像に基づいて問題点が抽出されるとともに、その問題点を改善するための運動プログラムを決定することができる。例えば、起き上がりができない対象ユーザ５０であっても、対象ユーザ５０間で起き上がりができない度合いに差がある。しかし、この構成では、起き上がりができない複数の対象ユーザ５０に対して、同じ運動プログラムを提供するのではなく、対象ユーザ５０ごとに起き上がりができない度合いに応じた最も効果的な運動プログラムを決定して、提供することができる。
【００６７】
また、対象ユーザ５０の距離画像および問題点と、対象ユーザ５０に対して提供した運動プログラムとを学習用データとして、学習済みモデル２５Ｂを再学習することができる。これにより、他の対象ユーザ５０に対して、さらに、改善度合いの高い効果的な運動プログラムを決定して、提供することができる。
【００６８】
［実施の形態１の変形例１］
上述の実施の形態１では、教師有りの機械学習によりモデルの学習を行ったが、強化学習によりモデルの学習を行うことも可能である。
【００６９】
例えば、ユーザの距離画像およびユーザの属性を強化学習における状態とし、ユーザの問題点および運動プログラム名を強化学習における行動とし、改善度合いを強化学習における報酬として、強化学習をすることにより、ユーザの距離画像およびユーザの属性を入力として、改善度合いを最大化するような問題点および運動プログラム名を出力するモデルを作成することができる。なお、強化学習を深層強化学習とすることもでき、深層強化学習を行うことにより、モデルをニューラルネットワークで表現することができる。
【００７０】
図２に示した機能改善支援装置２０の学習用データ取得部２６は、記憶部２４からユーザ情報２５Ａを読み出す。また、学習用データ取得部２６は、ユーザ情報２５Ａに示される運動プログラム名の運動プログラムを実行した後の機能の改善度合いを取得する。学習用データ取得部２６は、例えば、介護者がキーボードや端末装置４０を操作して入力した改善度合いを受け付ける。改善度合いは、例えば、１〜５の５段階で数値化されており、１が最も改善度合いが高く、数値が大きくなるにつれ改善度合いが低くなり、５が最も改善度合いが低いとしてもよい。
【００７１】
例えば、学習用データ取得部２６は、図３に示したユーザＩＤ「ｕ１」の対象ユーザ５０についてのユーザ情報と、ユーザ情報に示される運動プログラム名「ｐ１」を実行した後の当該対象ユーザ５０の機能の改善度合いとを、学習用データとして取得する。学習用データ取得部２６は、ユーザＩＤ「ｕ２」および「ｕ３」等の他の対象ユーザ５０についても同様に、ユーザ情報と機能の改善度合いとを、学習用データとして取得する。
【００７２】
機械学習部２７は、学習用データ取得部２６が取得したユーザ情報２５Ａおよび改善度合いを学習用データとして、記憶部２４に記憶されている学習済みモデル２５Ｂを再度機械学習する。図３に示す例において、機械学習部２７は、各ユーザの性別、年齢、体重、身長、距離画像、問題点１、問題点２および運動プログラム名と、当該ユーザの機能の改善度合いとを学習用データとして学習済みモデル２５Ｂを機械学習する。機械学習部２７は、機会学習後の学習済みモデル２５Ｂを記憶部２４に上書きする。
【００７３】
［実施の形態１の変形例２］
また、距離画像センサ１０の機能が端末装置４０に備えられていてもよいし、距離画像センサ１０が端末装置４０のアタッチメントとして用意されており、端末装置４０に距離画像センサ１０を接続して使用してもよい。
【００７４】
図７は、機能改善支援システムの他の構成を示す図である。
機能改善支援システム１は、要介護者などの対象ユーザ５０の機能を改善するためのシステムであり、距離画像センサ１０と、機能改善支援装置２０と、端末装置４０とを備える。距離画像センサ１０は、例えば、小型化されており、端末装置４０に接続可能に構成されている。
【００７５】
端末装置４０は、上述の実施の形態と同様の処理を実行する。それに加え、端末装置４０は、距離画像センサ１０が生成した距離画像を、ネットワーク２を介して機能改善支援装置２０に送信する。
【００７６】
機能改善支援装置２０は、端末装置４０から受信した距離画像に基づいて、上述の実施の形態と同様の処理を行う。
【００７７】
［実施の形態２］
実施の形態１では、ユーザの運動または生活に関連する機能の改善について説明した。ただし、改善対象の機能は、これに限定されるものではない。例えば、ユーザの言語または口腔に関連する機能を、改善対象の機能としてもよい。
【００７８】
実施の形態２では、ユーザの言語または口腔に関連する機能の改善について説明する。以下では、実施の形態１と異なる点を中心に説明し、同様の点については詳細な説明を繰り返さない。
【００７９】
実施の形態２に係る機能改善支援システムは、図１に示した機能改善支援システム１において、距離画像センサ１０が備えられていない。
【００８０】
＜機能改善支援装置の構成＞
図８は、実施の形態２に係る機能改善支援装置の構成を示すブロック図である。
機能改善支援装置２０は、図２に示した実施の形態１に係る機能改善支援装置２０の構成において、距離画像取得部２１の代わりに回答取得部２９および評価取得部３０を備える。回答取得部２９および評価取得部３０は、距離画像取得部２１と同様に、ＣＰＵ上でコンピュータプログラムを実行することにより機能的に実現される。ただし、回答取得部２９および評価取得部３０が半導体装置などのハードウェアにより実現されていてもよい。
【００８１】
回答取得部２９は、対象ユーザ５０の言語または口腔の質問項目および検査項目に対する回答を、対象ユーザ５０の機能に関連する特徴量として取得する。
【００８２】
図９は、言語または口腔に対する質問項目、検査項目および回答項目を含む問診票の一例を示す図である。問診票には、質問項目および検査項目と回答の選択肢とが示されている。例えば、項目ＩＤ「Ｑ１」〜「Ｑ１０」に質問項目および回答の選択肢の組を示し、項目ＩＤ「Ｑ１１」以降に検査項目および回答の選択肢の組を示す。
【００８３】
ここで、質問項目とは、主に対象ユーザ５０自身が主観で回答する項目である。ただし、対象ユーザ５０による回答が困難な場合には、介護者等が回答してもよい。また、検査項目とは、対象ユーザ５０を客観的に観察するための項目であり、観察項目とも呼ばれる。このため、検査項目には、対象ユーザ５０自身ではなく、介護者等が回答するのが原則である。
【００８４】
例えば、項目ＩＤ「Ｑ１」の質問項目「固いものは食べにくいですか」に対する回答として「１．いいえ」と「２．はい」が用意されている。また、項目ＩＤ「Ｑ１０」の質問項目「お口の健康状態はいかがですか」に対する回答として「１．良い」、「２．やや良い」、「３．普通」、「４．やや悪い」および「５．悪い」が用意されている。
【００８５】
また、項目ＩＤ「Ｑ１１」の検査項目「歯や義歯の汚れ」に対する回答として、「１．なし」、「２．ある」および「３．多い」が用意されている。また、項目ＩＤ「Ｑ１２」の検査項目「舌の汚れ」に対しては、「１．なし」、「２．ある」および「３．多い」が用意されている。
【００８６】
回答取得部２９は、図９に示すような問診票の項目ＩＤおよびその回答の組を、対象ユーザ５０ごとに取得する。回答取得部２９は、例えば、キーボードや端末装置４０などを操作して入力された項目ＩＤおよびその回答の組を、キーボードまたは端末装置４０などから取得し、対象ユーザ５０のユーザＩＤと対応付けて、ユーザ情報２５Ａとして記憶部２４に記憶する。
【００８７】
評価取得部３０は、対象ユーザ５０の言語または口腔の評価項目に対する口腔専門職による評価を、対象ユーザ５０の機能に関連する特徴量として取得する。
【００８８】
図１０は、言語または口腔に関する評価項目および当該項目に対する口腔専門職の評価を含む評価書の一例を示す図である。評価書には、評価項目と評価の選択肢とが示されている。
【００８９】
ここで、評価項目は、口腔専門職である言語聴覚士、歯科衛生士または看護師が日常的に対象ユーザ５０を観察しながら評価を行う項目である。
【００９０】
例えば、項目ＩＤ「Ｅ１」の評価項目「流涎」（よだれが出ているかの評価項目）に対する評価として、「１．なし」、「２．少量」、「３．多量」が用意されている。また、項目ＩＤ「Ｅ２」の評価項目「頸部屈曲可動域」（首の上下に動く範囲の評価項目）に対する評価として、「１．制限なし」、「２．少し動く」、「３．不動」が用意されている。
【００９１】
評価取得部３０は、図１０に示すような評価書の項目ＩＤおよびその評価の組を、対象ユーザ５０ごとに取得する。評価取得部３０は、例えば、キーボードや端末装置４０などを操作して入力された項目ＩＤおよびその評価の組を、キーボードまたは端末装置４０などから取得し、対象ユーザ５０のユーザＩＤと対応付けて、ユーザ情報２５Ａとして記憶部２４に記憶する。
【００９２】
運動プログラム決定部２３は、記憶部２４に記憶されている学習済みモデル２５Ｂに基づいて、回答取得部２９が取得した項目ＩＤおよび回答の組と、評価取得部３０が取得した項目ＩＤおよび評価の組とから、対象ユーザ５０の機能を改善するための管理指導項目および運動プログラムを決定する。運動プログラム決定部２３は、決定した管理指導項目の識別情報である管理指導項目名および運動プログラムの識別情報である運動プログラム名を、記憶部２４に記憶されているユーザ情報２５Ａに追加登録する。管理指導項目には、例えば、口腔機能向上に関する情報提供、口腔掃除の支援などの各種指導項目が含まれる。また、運動プログラムには、例えば、口腔体操、嚥下体操、唾液腺マッサージ、呼吸や飲み込み等の機能訓練などの各種プログラムが含まれる。なお、運動プログラム決定部２３が決定する管理指導項目は、上述したような各種指導項目を組み合わせたものであり、運動プログラム決定部２３が決定する運動プログラムは、上述したような各種プログラムを組み合わせたものである。
【００９３】
運動プログラム決定部２３は、決定した管理指導項目の内容および運動プログラムの内容、または管理指導項目名および運動プログラム名を、端末装置４０に送信するとともに、ユーザ情報２５Ａに登録する。
【００９４】
記憶部２４に記憶されている学習済みモデル２５Ｂは、複数のユーザについて、各ユーザの項目ＩＤおよび回答の組、項目ＩＤおよび評価の組、ユーザの属性、ならびに各ユーザが実行した管理指導項目および運動プログラムを学習用データとして機械学習され、対象ユーザ５０の項目ＩＤおよび回答の組と、項目ＩＤおよび評価の組と、対象ユーザ５０の属性とに対応する、管理指導項目名および運動プログラム名を出力するモデルである。
【００９５】
例えば、モデルは、深層学習を用いて作成することができる。ここで、ユーザの機能に関連する特徴量（項目ＩＤおよび回答の組、項目ＩＤおよび評価の組）と属性とを入力とし、管理指導項目名および運動プログラム名を出力とする学習用データを用いて、教師有りの深層学習をすることによりモデルを作成することができる。深層学習を行うことにより、モデルをニューラルネットワークで表現することができる。
【００９６】
図１１は、記憶部に記憶されているユーザ情報の一例を示す図である。
ユーザ情報２５Ａは、ユーザＩＤ、性別、年齢、体重、身長、質問項目および検査項目の項目ＩＤ、回答、評価項目の項目ＩＤ、評価、管理指導項目名および運動プログラム名が対応付けられて記憶されている。
【００９７】
例えば、ユーザＩＤ「ｕ１」の対象ユーザ５０の性別は「男」、年齢は「８１」歳、体重は「７２」ｋｇ、身長は「１６８」ｃｍ、項目ＩＤ「Ｑ１」の回答は「１」、項目ＩＤ「Ｑ２」の回答は「３」、項目ＩＤ「Ｑ３」の回答は「２」、項目ＩＤ「Ｅ１」の評価は「２」、項目ＩＤ「Ｅ２」の評価は「３」、項目ＩＤ「Ｅ３」の評価は「１」、その対象ユーザ５０の機能改善のために決定された管理指導項目の名称は「ｍ１」であり、対象ユーザ５０の機能改善のために決定された運動プログラムの名称は「ｔ１」である。ユーザＩＤ「ｕ２」などの対象ユーザ５０についても、同様の情報が記憶部２４に記憶されている。
【００９８】
学習用データ取得部２６は、学習済みモデル２５Ｂを再学習するための学習用データを取得する。例えば、学習用データ取得部２６は、図９に示したユーザＩＤ「ｕ１」の対象ユーザ５０についてのユーザ情報を、学習用データとして取得する。学習用データ取得部２６は、ユーザＩＤ「ｕ２」および「ｕ３」等の他の対象ユーザ５０についても同様に、ユーザ情報を、学習用データとして取得する。
【００９９】
機械学習部２７は、学習用データ取得部２６が取得した学習用データに基づいて、学習済みモデル２５Ｂをさらに機械学習することにより、学習済みモデル２５Ｂを更新する。機械学習は上述したように、一例として、深層学習を用いることができる。
機械学習部２７は、更新後の学習済みモデル２５Ｂを記憶部２４に記憶させる。
端末装置４０の構成は、実施の形態１と同様である。
【０１００】
＜運用モード＞
図１２は、本発明の実施の形態２に係る機能改善支援装置の処理手順の一例を示すフローチャートである。図１２は、対象ユーザ５０に対する質問および回答から対象ユーザ５０の運動プログラムを決定する運用モードにおける機能改善支援装置２０の処理手順を示す。
【０１０１】
回答取得部２９は、対象ユーザ５０の言語または口腔の質問項目および検査項目に対する回答を、対象ユーザ５０の機能に関連する特徴量として取得する（Ｓ２１）。つまり、回答取得部２９は、図９に示すような問診票の項目ＩＤおよびその回答の組を取得する。
【０１０２】
評価取得部３０は、対象ユーザ５０の言語または口腔の評価項目に対する口腔専門職による評価を、対象ユーザ５０の機能に関連する特徴量として取得する（Ｓ２２）。つまり、評価取得部３０は、図１０に示すような評価書の項目ＩＤおよびその評価の組を取得する。
【０１０３】
運動プログラム決定部２３は、回答取得部２９が取得した項目ＩＤおよび回答の組と、評価取得部３０が取得した項目ＩＤおよび評価の組と、対象ユーザ５０の属性（性別、年齢、体重、身長）とを学習済みモデル２５Ｂに入力し、管理指導項目名および運動プログラム名を決定する（Ｓ２３）。
【０１０４】
運動プログラム決定部２３は、決定した管理指導項目および運動プログラムの内容を端末装置４０に送信する（Ｓ２４）。なお、運動プログラム決定部２３は、管理指導項目および運動プログラムの内容の代わりに、管理指導項目名および運動プログラム名を、端末装置４０に送信するようにしてもよい。
【０１０５】
なお、実施の形態２においても、機能改善支援装置２０は学習モードにおいて学習済みモデルを再学習する。処理の流れは、重心位置および運動量が、項目ＩＤおよび回答の組ならびに項目ＩＤおよび評価の組に変わった以外は、図６に示したものと同様である。
【０１０６】
図１３は、端末装置４０に送信された管理指導項目および運動プログラムの内容に基づいて作成される口腔機能向上サービスの管理指導計画の一例を示す図である。
【０１０７】
当該管理指導計画には、対象ユーザ５０に実施する管理指導項目と運動プログラムとが示されている。例えば、管理指導項目として、専門職による「口腔機能向上に関する情報提供」が示されている。また、運動プログラムとして、専門職による「口腔体操・嚥下体操」および「唾液腺マッサージ」と、関連職による「口腔体操・嚥下体操」と、本人による家庭での「口腔体操・嚥下体操と」が示されている。
【０１０８】
＜実施の形態２の効果＞
以上説明したように、本発明の実施の形態２によると、対象ユーザ５０の言語または口腔の質問項目および検査項目に対する回答と、対象ユーザ５０の言語または口腔の評価項目に対する口腔専門職による評価とが取得され、取得された回答および評価を学習済みモデル２５Ｂに入力することにより、当該対象ユーザ５０の言語または口腔に関連する機能を改善するための管理指導項目および運動プログラムを決定することができる。これにより、例えば、言語障害のある複数の対象ユーザ５０に対して、同じ管理指導項目および運動プログラムを提供するのではなく、対象ユーザ５０ごとに最も効果的な管理指導項目および運動プログラムを決定して、提供することができる。
【０１０９】
［実施の形態２の変形例］
上述の実施の形態２では、教師有りの機械学習によりモデルの学習を行ったが、強化学習によりモデルの学習を行うことも可能である。
【０１１０】
例えば、モデルは、強化学習を用いて作成することができる。ここで、ユーザの機能に関連する特徴量（項目ＩＤおよび回答の組、項目ＩＤおよび評価の組）と属性とを強化学習における状態とし、管理指導項目名および運動プログラム名を強化学習における行動とし、改善度合いを強化学習における報酬として、強化学習をすることによりモデルを作成することができる。なお、強化学習を深層強化学習とすることもでき、深層強化学習を行うことにより、モデルをニューラルネットワークで表現することができる。
【０１１１】
図２に示した機能改善支援装置２０の学習用データ取得部２６は、学習済みモデル２５Ｂを再学習するための学習用データを取得する。例えば、学習用データ取得部２６は、図９に示したユーザＩＤ「ｕ１」の対象ユーザ５０についてのユーザ情報と、ユーザ情報に示される管理指導項目名「ｍ１」の管理指導項目および運動プログラム名「ｔ１」の運動プログラムを実行した後の当該対象ユーザ５０の機能の改善度合いとを、学習用データとして取得する。学習用データ取得部２６は、ユーザＩＤ「ｕ２」および「ｕ３」等の他の対象ユーザ５０についても同様に、ユーザ情報と機能の改善度合いとを、学習用データとして取得する。改善度合いは、例えば、１〜５の５段階で数値化されており、１が最も改善度合いが高く、数値が大きくなるにつれ改善度合いが低くなり、５が最も改善度合いが低いとしてもよい。
【０１１２】
機械学習部２７は、学習用データ取得部２６が取得した学習用データに基づいて、学習済みモデル２５Ｂをさらに機械学習することにより、学習済みモデル２５Ｂを更新する。機械学習は上述したように、一例として、強化学習または深層強化学習を用いることができる。
機械学習部２７は、更新後の学習済みモデル２５Ｂを記憶部２４に記憶させる。
【０１１３】
［付記］
以上、本発明に係る機能改善支援システムについて、実施の形態を説明したが、本発明は、上述の実施の形態に限定されるものではない。
【０１１４】
例えば、上述の実施の形態１では、対象ユーザ５０の重心位置および運動量を特徴量としたが、特徴量はこれに限定されるものではない。例えば、地面から対象ユーザ５０の重心までの距離、距離画像センサ１０から対象ユーザ５０の重心までの距離などを特徴量として用いてもよい。また、対象ユーザ５０のより詳細な運動機能に関する情報が得られるのであれば、その情報を特徴量としてもよい。例えば、頸部屈曲角、体軸内回旋の起き上がりに関連する指標や、重心の前方への移動、上下移動または下方移動などの立ち上がりに関連する指標、後方脚を後方へ動かす、または前方脚の膝を曲げるなどのしゃがみ込みに関連する指標などの各種指標の値を、対象ユーザ５０の特徴量としてもよい。これらに指標値は、距離画像に基づいて自動的に計算することもできるし、介護者等が機能改善支援装置２０に入力するようにしてもよい。また、これらの特徴量を組み合わせて用いてもよい。
【０１１５】
また、上述の実施の形態２では、対象ユーザ５０の言語または口腔に関連する機能を改善するための管理指導計画および運動プログラムを決定したが、例えば、管理指導計画および運動プログラムのいずれか一方を決定するものであってもよい。
【０１１６】
なお、上述の機能改善支援装置２０の一部または全部の機能がクラウドコンピューティングによって提供されてもよい。つまり、機能改善支援装置２０の一部または全部の機能がクラウドサーバにより実現されていてもよい。例えば、機能改善支援装置２０において、運動プログラム決定部２３、記憶部２４、学習用データ取得部２６および機械学習部２７の機能がクラウドサーバにより実現されてもよい。機能改善支援装置２０は、クラウドサーバに対して、対象ユーザ５０の特徴量および属性を送信することにより、対象ユーザ５０の機能改善に最も効果的な運動プログラムまたは運動プログラム名を取得してもよい。
【０１１７】
また、上記した実施の形態１および２のそれぞれの変形例は、以下の付記１〜４として表すことができる。
【０１１８】
＜付記１＞
対象ユーザの機能に関連する特徴量を取得する取得部と、
学習済みモデルに基づいて、取得した前記特徴量から、前記対象ユーザの機能を改善するための運動プログラムを決定する運動プログラム決定部と、を備え、
前記学習済みモデルは、複数のユーザについての機能に関連する特徴量、各ユーザが実行した運動プログラムおよび当該運動プログラム実行後の前記機能の改善度合いを学習用データとして機械学習され、前記特徴量に対応する前記運動プログラムの識別情報を出力するモデルである、機能改善支援装置。
【０１１９】
＜付記２＞
前記機能は、ユーザの運動または生活に関連する機能であって、
前記取得部は、前記対象ユーザまでの距離を示す距離画像を前記特徴量として取得し、
前記運動プログラム決定部は、前記学習済みモデルに基づいて、取得した前記特徴量から、前記ユーザの運動または生活に関連する問題点と、当該問題点を改善するための運動プログラムを決定し、
前記学習済みモデルは、複数のユーザについて、各ユーザの前記距離画像、各ユーザの運動または生活に関連する問題点、各ユーザが実行した運動プログラムおよび当該運動プログラム実行後の前記機能の改善度合いを学習用データとして機械学習され、前記特徴量に対応する前記問題点および前記運動プログラムの識別情報を出力するモデルである、付記１に記載の機能改善支援装置。
【０１２０】
＜付記３＞
前記機能は、ユーザの言語または口腔に関連する機能であって、
前記取得部は、前記対象ユーザの言語または口腔の質問項目および検査項目に対する回答と、前記対象ユーザの言語または口腔の評価項目に対する口腔専門職による評価とを前記特徴量として取得し、
前記学習済みモデルは、複数のユーザについて、各ユーザの前記言語または口腔の質問項目および検査項目に対する回答、口腔専門職による各ユーザの評価項目に対する評価、各ユーザが実行した管理指導項目および運動プログラム、ならびに当該管理指導項目および当該運動プログラム実行後の前記機能の改善度合いを学習用データとして機械学習され、前記特徴量に対応する前記管理指導項目の識別情報および前記運動プログラムの識別情報を出力するモデルであり、
前記運動プログラム決定部は、前記学習済みモデルに基づいて、取得した前記特徴量から、前記対象ユーザの機能を改善するための管理指導項目および運動プログラムを決定する、付記１に記載の機能改善支援装置。
【０１２１】
＜付記４＞
さらに、前記学習済みモデルを機械学習する機械学習部を備え、
前記機械学習部は、さらに、前記運動プログラム決定部が決定した前記運動プログラムを実行した前記対象ユーザの前記特徴量、当該運動プログラムの識別情報および当該運動プログラム実行後の前記機能の改善度合いを学習用データとして前記学習済みモデルを機械学習する、付記１〜付記３のいずれか１項に記載の機能改善支援装置。
【０１２２】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【０１２３】
１      機能改善支援システム
２    ネットワーク
１０    距離画像センサ
２０    機能改善支援装置
２１    距離画像取得部
２３    運動プログラム決定部
２４    記憶部
２５Ａ  ユーザ情報
２５Ｂ  学習済みモデル
２６    学習用データ取得部
２７    機械学習部
２８    ユーザ属性取得部
２９    回答取得部
３０    評価取得部
４０    端末装置
４１    運動プログラム取得部
４２    運動プログラム提示部
５０    対象ユーザ
【図１】
2020099534.tif 000003
【図２】
2020099534.tif 000004
【図３】
2020099534.tif 000005
【図４】
2020099534.tif 000006
【図５】
2020099534.tif 000007
【図６】
2020099534.tif 000008
【図７】
2020099534.tif 000009
【図８】
2020099534.tif 000010
【図９】
2020099534.tif 000011
【図１０】
2020099534.tif 000012
【図１１】
2020099534.tif 000013
【図１２】
2020099534.tif 000014
【図１３】
2020099534.tif 000015
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
対象ユーザの機能に関連する特徴量を取得する取得部と、
学習済みモデルに基づいて、取得した前記特徴量から、前記対象ユーザの機能を改善するための運動プログラムを決定する運動プログラム決定部と、を備え、
前記学習済みモデルは、複数のユーザについての機能に関連する特徴量、および各ユーザが実行した運動プログラムを学習用データとして機械学習され、前記特徴量に対応する前記運動プログラムの識別情報を出力するモデルである、機能改善支援装置。
【請求項２】
前記機能は、ユーザの運動または生活に関連する機能であって、
前記取得部は、前記対象ユーザまでの距離を示す距離画像を前記特徴量として取得し、
前記運動プログラム決定部は、前記学習済みモデルに基づいて、取得した前記特徴量から、前記ユーザの運動または生活に関連する問題点と、当該問題点を改善するための運動プログラムを決定し、
前記学習済みモデルは、複数のユーザについて、各ユーザの前記距離画像、各ユーザの運動または生活に関連する問題点、および各ユーザが実行した運動プログラムを学習用データとして機械学習され、前記特徴量に対応する前記問題点および前記運動プログラムの識別情報を出力するモデルである、請求項１に記載の機能改善支援装置。
【請求項３】
前記機能は、ユーザの言語または口腔に関連する機能であって、
前記取得部は、前記対象ユーザの言語または口腔の質問項目および検査項目に対する回答と、前記対象ユーザの言語または口腔の評価項目に対する口腔専門職による評価とを前記特徴量として取得し、
前記学習済みモデルは、複数のユーザについて、各ユーザの前記言語または口腔の質問項目および検査項目に対する回答、口腔専門職による各ユーザの評価項目に対する評価、ならびに各ユーザが実行した管理指導項目および運動プログラムを学習用データとして機械学習され、前記特徴量に対応する前記管理指導項目の識別情報および前記運動プログラムの識別情報を出力するモデルであり、
前記運動プログラム決定部は、前記学習済みモデルに基づいて、取得した前記特徴量から、前記対象ユーザの機能を改善するための管理指導項目および運動プログラムを決定する、請求項１に記載の機能改善支援装置。
【請求項４】
さらに、前記学習済みモデルを機械学習する機械学習部を備え、
前記機械学習部は、さらに、前記運動プログラム決定部が決定した前記運動プログラムを実行した前記対象ユーザの前記特徴量、および当該運動プログラムの識別情報を学習用データとして前記学習済みモデルを機械学習する、請求項１〜請求項３のいずれか１項に記載の機能改善支援装置。
【請求項５】
対象ユーザまでの距離を示す距離画像を取得する距離画像センサと、
請求項２に記載の機能改善支援装置と、
前記機能改善支援装置から、前記対象ユーザの運動または生活に関連する問題点と前記対象ユーザの機能を改善するための運動プログラムとを取得し、取得した前記問題点および前記運動プログラムを提示する端末装置と
を備える機能改善支援システム。
【請求項６】
請求項３に記載の機能改善支援装置と、
前記機能改善支援装置から、対象ユーザの機能を改善するための管理指導項目および運動プログラムを取得し、取得した前記管理指導項目および前記運動プログラムを提示する端末装置と
を備える機能改善支援システム。